(57)【特許請求の範囲】
【請求項１】
記録媒体にデータを記録する方法であって、
少なくとも１つの再生リストを用いて管理された静止画像とオーディオデータとを別々のファイルに記録するステップと、
オーディオデータ用の第１ナビゲーション情報と静止画像用の少なくとも１つの再生アイテムとを含む前記少なくとも１つの再生リストを記録するステップとを有し、
前記第１ナビゲーション情報は前記第１ナビゲーション情報と前記再生アイテムとを連結する再生アイテム識別情報を含み、
前記再生リストは前記オーディオデータの属性を識別する属性情報を含み、
前記再生リストは再生時間を指示する同期情報を含み、前記再生時間は前記静止画像とオーディオデータの同期再生を行うための、前記再生アイテム識別情報によって連結される前記再生アイテムにおけるオーディオ開始時間であることを特徴とする方法。
【請求項２】
前記再生リストはさらに前記静止画像の属性情報を含むことを特徴とする請求項１に記載の方法。
【請求項３】
前記属性情報は、前記オーディオデータの符号化フォーマットと前記静止画像の符号化フォーマットの少なくとも１つを含むことを特徴とする請求項２に記載の方法。
【請求項４】
記録媒体からデータを再生する方法であって、
少なくとも１つの再生リストを用いて管理されている別々のファイルの静止画像とオーディオデータとを再生するステップと、
オーディオデータ用の第１ナビゲーション情報と静止画像用の少なくとも１つの再生アイテムとを含む前記少なくとも１つの再生リストを再生するステップとを有し、
前記第１ナビゲーション情報は前記第１ナビゲーション情報と前記再生アイテムとを連結する再生アイテム識別情報を含み、
前記再生リストは前記オーディオデータの属性を識別する属性情報を含み、
前記再生リストは再生時間を指示する同期情報を含み、前記再生時間は前記静止画像とオーディオデータの同期再生を行うための、前記再生アイテム識別情報によって連結される前記再生アイテムにおけるオーディオ開始時間であることを特徴とする方法。
【請求項５】
前記再生リストはさらに前記静止画像の属性情報を含むことを特徴とする請求項４に記載の方法。
【請求項６】
前記属性情報は前記オーディオデータの符号化フォーマットと前記静止画像の符号化フォーマットの少なくとも１つを含むことを特徴とする請求項５に記載の方法。
【請求項７】
記録媒体にデータを記録する装置であって、
再生リストを用いて管理されている静止画像とオーディオデータの別々のファイルへの記録を制御するように構成された制御部を有し、
前記制御部は、オーディオデータ用の第１ナビゲーション情報と静止画像用の少なくとも１つの再生アイテムとを含む前記再生リストの記録を制御するように構成され、
前記第１ナビゲーション情報は前記第１ナビゲーション情報と前記再生アイテムとを連結する再生アイテム識別情報を含み、
前記再生リストは前記オーディオデータの属性を識別する属性情報を含み、
前記再生リストは再生時間を指示する同期情報を含み、前記再生時間は前記静止画像とオーディオデータの同期再生を行うための、前記再生アイテム識別情報によって連結される前記再生アイテムにおけるオーディオ開始時間であることを特徴とする装置。
【請求項８】
静止画像とオーディオデータを含むデータを受信して符号化するように構成された入力処理モジュールを有することを特徴とする請求項７に記載の装置。
【請求項９】
前記再生リストはさらに前記静止画像の属性情報を含むことを特徴とする請求項７に記載の装置。
【請求項１０】
前記属性情報は、前記オーディオデータの符号化フォーマットと前記静止画像の符号化フォーマットの少なくとも１つを含むことを特徴とする請求項９に記載の装置。
【請求項１１】
記録媒体からデータを再生する装置であって、
再生リストを用いて管理されている別々のファイルの静止画像とオーディオデータの再生を制御するように構成された制御部を有し、
前記制御部は、オーディオデータ用の第１ナビゲーション情報と静止画像用の少なくとも１つの再生アイテムとを含む前記再生リストの再生を制御するように構成され、
前記第１ナビゲーション情報は前記第１ナビゲーション情報と前記再生アイテムとを連結する再生アイテム識別情報を含み、
前記再生リストは前記オーディオデータの属性を識別する属性情報を含み、
前記再生リストは再生時間を指示する同期情報を含み、前記再生時間は前記静止画像とオーディオデータの同期再生を行うための、前記再生アイテム識別情報によって連結される前記再生アイテムにおけるオーディオ開始時間であることを特徴とする装置。
【請求項１２】
静止画像とオーディオデータを含むデータを復号化して出力するように構成された出力処理モジュールを有することを特徴とする請求項１１に記載の装置。
【請求項１３】
前記再生リストはさらに前記静止画像の属性情報を含むことを特徴とする請求項１１に記載の装置。
【請求項１４】
前記属性情報は前記オーディオデータの符号化フォーマットと前記静止画像の符号化フォーマットの少なくとも１つを含むことを特徴とする請求項１３に記載の装置。
【請求項１５】
少なくとも１つの再生リストを用いて管理された静止画像とオーディオデータとを別々のファイルに記録するステップおよびオーディオデータ用の第１ナビゲーション情報と静止画像用の少なくとも１つの再生アイテムとを含む前記少なくとも１つの再生リストを記録するステップを通して記録されたデータを含む記録媒体であって、
前記第１ナビゲーション情報は前記第１ナビゲーション情報と前記再生アイテムとを連結する再生アイテム識別情報を含み、
前記再生リストは前記オーディオデータの属性を識別する属性情報を含み、
前記再生リストは再生時間を指示する同期情報を含み、前記再生時間は前記静止画像とオーディオデータの同期再生を行うための、前記再生アイテム識別情報によって連結される前記再生アイテムにおけるオーディオ開始時間であることを特徴とする記録媒体。
【請求項１６】
前記再生リストはさらに前記静止画像の属性情報を含むことを特徴とする請求項１５載の記録媒体。
【請求項１７】
前記属性情報は、前記オーディオデータの符号化フォーマットと前記静止画像の符号化フォーマットの少なくとも１つを含むことを特徴とする請求項１６に記載の記録媒体。
【発明の詳細な説明】
【技術分野】
【０００１】
本発明は、静止画像に対応するダビングオーディオデータを再記録可能なデジタルバーサタイルディスク（ＤＶＤ）のような記録媒体に記録する方法に関する。
【背景技術】
【０００２】
最近、高画質の動画像ビデオデータまたは高音質のオーディオデータを長時間記録することができる大容量高密度光ディスクであるＤＶＤが開発されて市場に発表されて市販されている。広く普及することが期待されている。ＤＶＤの種類には、再生専用のＤＶＤ−ＲＯＭ、１回記録可能なＤＶＤ−Ｒ、そして再記録可能なＤＶＤ−ＲＡＭまたはＤＶＤ−ＲＷ(ＤＶＤ−Ｒｅｗｒｉｔａｂｌｅ)などがあり、ＤＶＤ−ＲＡＭまたはＤＶＤ−ＲＷ等に動画像データ及びオーディオデータを記録するための記録フォーマットに対する規格化の作業が進行している。
【０００３】
一方、高画質の静止画像と、その静止画像に対応するデジタルオーディオデータを格納することができる比較的大容量のメモリなどを装着したデジタルスチールカメラ(ＤＳＣ)が開発されて市場に発表された。同様に、広く商用化されることが期待されている。このときの静止画像は、ＪＰＥＧ方式またはＴＩＦＦ方式のフォーマットを有し、オーディオデータは、ＰＣＭ方式またはｕ−Ｌａｗ  ＰＣＭ方式、またはＩＭＡ−ＡＤＰＣＭ方式のフォーマットを有する。
【０００４】
デジタルスチールカメラ(ＤＳＣ)により記録される静止画像及びオーディオデータは、広く知られたようにＤＣＦ(Design rule for Camera File system)方式のファイル構造を有する。ＤＣＦファイル構造は、図１に示したように、ルート(ＲＯＯＴ)ディレクトリの下の最上位にＤＣＩＭ(Digital Camera IMages)ディレクトリを有し、ＤＣＩＭディレクトリの下には、相互に重複しない３ケタの数字の一連番号、例えば１００ないし９９９中いずれか一つと、ユーザーが任意に指定できる５ケタの文字が組合された総８ケタの名前を有する最大９００個のディレクトリと、１個の臨時ディレクトリ(ＴＥＭＰ)を有する。
【０００５】
この８ケタの名前を有する任意のディレクトリ、例えば、図１の‘１００ＡＢＣＤＥ’ディレクトリには、ユーザが任意に指定できる４ケタの文字と、他の属性のファイルの場合には相互に重複しない４ケタの一連番号が組合された総８ケタの名前を有する複数のファイルが記録される。このファイルは、ＪＰＥＧ方式の記録フォーマットを有する静止画像ファイル(*．ＪＰＧ)、ＴＩＦＦ方式の記録フォーマットを有する静止画像ファイル(*．ＴＩＦ)、ＰＣＭ方式、ｕ−Ｌａｗ  ＰＣＭ方式、またはＩＭＡ−ＡＤＰＣＭ方式の記録フォーマットを有するウェイブオーディオファイル(*．ＷＡＶ)などである。ファイルの属性が異なる場合、すなわち、拡張子が異なった場合には同一のファイル名でもよい。これは任意の静止画像に対してオーディオデータをダビングする場合ファイル名を同一にすることによって相互に連係させることができるようにするためである。
【０００６】
一方、現在開発中であるディスクビデオレコーダ(ＤＶＲ）は動画像と静止画像をすべて大容量のディスクに記録することができる。その際、静止画像を記録するときの記録方式を、前述したフォーマットで静止画像及びダビングオーディオデータを記録することができるデジタルカメラとの相互互換性を高めることができる方式でデータと管理情報を記録すれば、ユーザーはデータ変換や別途の変化装置なしにデータを相互交換できて使用の便宜性を高めることができる。しかし、このときも、記録方式を、ディスクビデオレコーダが動画像記録のために確定している管理情報の規格に合うようにしなければならない。
【発明の開示】
【発明が解決しようとする課題】
【０００７】
本発明は前記のような実情を勘案して創作されたものであり、静止画像をデジタルスチールカメラの記録フォーマットと互換できるフォーマットで記録して、その記録された静止画像に対するダビングオーディオデータを、動画像データ記録のための管理情報構造に合うように記録する多様な方案を提供することが目的である。
【課題を解決するための手段】
【０００８】
前記のような目的を達成するための本発明による再記録可能記録媒体のダビングオーディオデータ記録方法は、少なくとも一つのピクチャを含む静止画像データを再記録可能記録媒体にデジタルスチールカメラの記録フォーマットと互換できるフォーマットで記録する第１段階、及び前記記録された静止画像データの区間にそのデータに対応するダビングオーディオデータを記録して、前記データ区間と前記ダビングオーディオデータを連結させる管理情報を記録する第２段階を含むことを特徴とする。
【発明の効果】
【０００９】
前記のようになされる本発明による再記録可能記録媒体へのダビングオーディオデータ記録方法は、デジタルスチールカメラが採択したファイルシステムの静止画像ファイルに対してはもちろん、多様な形態の静止画像区間に対してオーディオダビングを可能にしてユーザーの便宜性を向上させる。
【発明を実施するための最良の形態】
【００１０】
以下、本発明による再記録可能記録媒体のダビングオーディオデータ記録方法に対する望ましい実施形態に対して、添付された図面を参照しながら詳細に説明する。
【００１１】
図２は、本発明実施形態による再記録可能記録媒体のダビングオーディオデータ記録方法が適用される光ディスク装置の構成を示したものである。
【００１２】
図２のディスク装置は、例えばデジタルビデオレコーダでよく、再記録可能記録媒体にビデオデータとオーディオデータ、再生制御のための管理情報(Navigation Information)を記録する。
【００１３】
図２のディスク装置は、第１及び第２スイッチング部１０、１１、静止画像ビデオエンコーダ部１２、静止画像オーディオエンコーダ部１３、動画像ビデオエンコーダ部１４、動画像オーディオエンコーダ部１５、ＭＰＥＧ２多重化装置１６、フォーマット構成部１７、ＤＶＲエンコーダ信号処理部１８が入力信号のために構成されて、第３及び第４スイッチング部３０、３１、静止画像ビデオデコーダ部３２，オーディオデコーダ部３３、動画像ビデオデコーダ部３４、動画像オーディオデコーダ部３５、ＭＰＥＧ２多重分離装置３６、パーザ３７、ＤＶＲデコーダ信号処理部３８が出力信号のために構成され、これら全体的なシステム制御のために制御部１９が含まれる。
【００１４】
第１及び第２スイッチング部１０、１１は、外部から入力されるビデオデータとそのオーディオデータを、制御部１９のスイッチング制御により、それぞれ静止画像ビデオエンコーダ部１２と静止画像オーディオエンコーダ部１３に選択出力したり、または動画像ビデオエンコーダ部１４と動画像オーディオエンコーダ部１５に選択して出力させる。
【００１５】
静止画像ビデオエンコーダ部１２と静止画像オーディオエンコーダ部１３は、第１及び第２スイッチング部１０、１１を通して選択出力されたデジタルスチールカメラからのようなビデオデータをＪＰＥＧ方式またはＴＩＦＦ方式のフォーマットで、一方、オーディオデータをＰＣＭ方式、ｕ−Ｌａｗ  ＰＣＭ方式またはＩＭＡ−ＡＤＰＣＭ方式のフォーマットでそれぞれエンコーディングする。
【００１６】
動画像ビデオエンコーダ部１４と動画像オーディオエンコーダ部１５は、第１及び第２スイッチング部１０、１１を通して選択出力されたビデオデータをＭＰＥＧ２方式のフォーマットで、一方オーディオデータをＡＣ−３方式、ＭＰＥＧ  １  ｌａｙｅｒ  ２方式またはＬＰＣＭ方式のフォーマットでエンコーディングする。この動画像ビデオエンコーダ部１４と動画像オーディオエンコーダ部１５を通して各々エンコーディングされた動画像ビデオデータとオーディオデータはＭＰＥＧ２多重化装置１６でＭＰＥＧ２ストリームとして多重化されてフォーマット構成部１７に出力される。
【００１７】
フォーマット構成部１７は、静止画像ビデオエンコーダ及び／または静止画像オーディオエンコーダ部１２、１３によりエンコーディングされた静止画像ビデオデータとそれに対応するオーディオデータが入力されると、その静止画像ビデオ及び／またはオーディオデータを再記録可能記録媒体に適する記録大きさとして構成すると同時に、それに記録用ヘッダ情報を付加した後、ＤＶＲエンコーダ信号処理部１８に出力する。また前記のように構成された静止画像ビデオデータ及び／またはオーディオデータを探索及び再生制御するための管理情報を生成して、制御部１９に提供する。
【００１８】
動画像ビデオエンコーダ部１４と動画像オーディオエンコーダ部１５によりエンコーディングされた動画像ビデオデータとそのオーディオデータと、それらのデータのＭＰＥＧ２多重化装置１６により多重化されたＭＰＥＧ２ストリームとが入力されると、フォーマット構成部１７は、その動画像ビデオデータとオーディオデータ、またはＭＰＥＧ２ストリームを選択してそれらを再記録可能記録媒体に適する記録大きさとして構成すると同時に、記録用ヘッダ情報を付加して、ＤＶＲエンコーダ信号処理部１８に出力する。また前記のように構成された動画像ビデオデータとオーディオデータを探索及び再生制御するための管理情報を生成して、制御部１９に提供する。
【００１９】
ＤＶＲエンコーダ信号処理部１８は、前記のように構成された静止画像ビデオデータとそのオーディオデータ、または動画像ビデオデータとそのオーディオデータをエラー訂正コード(ＥＣＣ)ブロックとして構成した後に、記録用信号に変換して再記録可能記録媒体に記録する。このとき制御部１９は、記録されるデータの類型によってＤＶＲエンコーダ信号処理部１８の信号記録を制御する。すなわち、データの記録場所、ディレクトリとファイルなどを決定する。必要な場合ユーザーからの情報をも受け入れる。
【００２０】
また、ビデオ及び／またはオーディオデータの記録途中または記録完了後にフォーマット構成部１７から受信された管理情報をＤＶＲエンコーダ信号処理部１８を通して再記録可能記録媒体に付加する。
【００２１】
静止画像、すなわちピクチャの記録後にユーザーが静止画像または静止画像のグループを指定してその静止画像に対するダビングオーディオデータを記録しようとしてオーディオ信号を入力する場合、制御部１９は、これを再記録可能記録媒体に記録するときに相互に連結させるための情報を含ませる。すなわち、同一ディレクトリの下に同一ファイル名を有するようにして拡張名のみオーディオエンコーディング方式によって付加して、必要な管理情報を動画像規格に合うように生成して記録する。このとき、エンコーディング方式は、ｕ−Ｌａｗ、ＡＣ−３方式、ＭＰＥＧ  １  ｌａｙｅｒ  ２方式またはＬＰＣＭ方式などの任意のものを用いることができる。
【００２２】
前記のように静止画像データに対応するダビングオーディオデータを記録してそれによって管理情報を生成記録する方法を以下に詳細に説明する。
【００２３】
図３ないし図８は、本発明の実施形態によるダビングオーディオデータの記録過程を各々示したものであって、図３は、静止画像データに対応するダビングオーディオデータを、ナビゲーションユニット(Navigation Unit)である再生リスト（play list）単位で記録できるようにした実施形態であって、図４は、静止画像データに対応するダビングオーディオデータを、再生リスト内の再生アイテム(play item）単位で記録できるようにした実施形態であって、図５は、静止画像データに対応するダビングオーディオデータを、同一属性の静止画像グループ(Still Picture Group)単位で記録できるようにした実施形態であって、図６は、静止画像データに対応するダビングオーディオデータを、静止画像ファイル(Still Picture File)またはＤＣＩＭディレクトリ下のサブディレクトリ単位で記録できるようにした実施形態であって、図７は、静止画像データに対応するダビングオーディオデータを、各々の静止画像単位で記録できるようにした実施形態である。
【００２４】
図８は、前記のような各方法でダビングオーディオデータを記録する場合にダビングオーディオデータとその静止画像データまたはグループ間の同期再生のための同期情報(Ｓｙｎｃ＿Ｉｎｆｏ)を付加した実施形態を示したものである。
【００２５】
ダビングオーディオデータを上記した実施形態中の一つで記録するために、制御部１９は、デジタルスチールカメラの記録フォーマットを有するＪＰＥＧ方式またはＴＩＦＦ方式などの静止画像ビデオデータを格納する。このデータを、図１を参照して前述したように、ＤＣＦファイルシステムで、ルート(ＲＯＯＴ)ディレクトリの下にある最上位のＤＣＩＭディレクトリ内のサブディレクトリ、例えば‘１００ＡＢＣＤＥ’ディレクトリに、任意の１静止画像ファイルまたは一つのファイル内に他の静止画像と一緒に記録することができる。そして、このように記録された静止画像の属性によって、例えば解像度または大きさ等によってグルーピングする。同一グループに属する静止画像ファイルは同一のサブディレクトリに含ませてもよい。
【００２６】
制御部１９は、記録された静止画像データに対するダビングオーディオデータが入力されると、ＭＰＥＧ２方式、ＡＣ−３方式、ＬＰＣＭ方式、ＰＣＭ、ｕ−Ｌａｗ  ＰＣＭまたはＩＭＡ−ＡＤＰＣＭ方式でエンコーディングして再記録可能記録媒体に記録した後に、指定されたダビング方式によって選択された対象（再生リスト、再生アイテム、静止画像グループ、静止画像、ディレクトリ、ファイル、またはサブディレクトリ）と連結させる情報を生成して記録する。
【００２７】
図３のように静止画像データの再生順序を指定する再生リスト単位で記録するモードである場合、ユーザーにより選択された、各静止画像の記録順序の通りである実際再生リスト(Ｒｅａｌ Ｐｌａｙ Ｌｉｓｔ)または編集された順序の再生リスト(Ｖｉｒｔｕａｌ Ｐｌａｙ Ｌｉｓｔ)に連結させる情報を生成して記録する。図４に示したように、再生アイテム単位でダビングオーディオデータを記録するモードである場合、選択された１再生リスト内に含まれる選択された１再生アイテムに連結させる情報を生成して記録する。
【００２８】
再生リストまたは再生アイテムと連結させる管理情報には、記録されたダビングオーディオデータの識別情報（記録位置またはファイル名）、再生リストまたは再生アイテムに対する識別情報、そして、ダビングオーディオデータの属性を示す属性情報を含ませてもよい。
【００２９】
もしも、図５のように、静止画像グループ単位で記録されるモードである場合、ユーザーにより選択された再生リスト内の再生アイテム内の静止画像グループに連結させる管理情報を生成して記録する。図６のように、ファイルまたはサブディレクトリ単位で記録するモードである場合、ユーザーにより選択されたファイルまたはサブディレクトリに連結させる管理情報を生成して記録する。
【００３０】
静止画像グループと連結させる管理情報は、静止画像グループの開始と終わりに対する情報、そしてそれらの属性に対する情報を含み、そのグループを含む再生アイテム内に記録される。そして、静止画像ファイルまたはサブディレクトリと連結させる管理情報は、静止画像ファイルまたはサブディレクトリを識別できるようにするための識別情報、例えば静止画像ファイル名またはサブディレクトリ名を含み、これもそのファイルまたはディレクトリをインデクシングする再生アイテム内に記録される。
【００３１】
また、図７のように、静止画像単位で記録するモードである場合、ユーザーにより選択された静止画像に連結させる管理情報を生成して記録する。一つの静止画像に対して一つのファイルとして生成する場合には管理情報は連結されるファイル名を含む。一つのファイル内に複数の静止画像を記録する場合には選択される静止画像の位置及び大きさに対する情報をも含み、このときは管理情報は静止画像のヘッダ情報に含まれる。
【００３２】
もしも、ユーザーが、ダビングオーディオデータが一緒に再生される静止画像の区間(再生リスト、再生アイテム、静止画像グループ、ファイルまたはディレクトリ、静止画像)を同期させようとすれば、制御部１９は、エンコーディングされたオーディオデータを図８に示したように連続的に記録して、ユーザーが同期する対象、図８の例では静止画像を変更するごとに同期する静止画像に対する同期情報を生成して挿入記録する。この同期情報には、同期する対象によって適切な情報が選択される。例えば、静止画像またはグループとしてダビングが記録された場合、静止画像データまたはグループの記録開始位置情報(Picture Start)及び記録終了位置情報(Picture End)を含めて記録したり、または静止画像データまたはグループの開始静止画像の一連番号(Ｐｉｃｔｕｒｅ＿Ｎｕ)、または静止画像ファイルのファイル名(Ｐｉｃｔｕｒｅ  Ｆｉｌｅ  Ｎａｍｅ)、そしてオーディオ再生時間情報(Ａｕｄｉｏ  Ｐｌａｙｂａｃｋ  Ｔｉｍｅ)などを記録することができる。再生リスト、再生アイテム、またはディレクトリ単位でダビングが記録された場合には、前記同期情報はその対象の一連番号またはディレクトリ名と、オーディオ再生時間情報を含むことができる。
【００３３】
前記のようなダビングオーディオの記録により、静止画像の再生が要請されれば、制御部１９は、記録された管理情報によって、要請された再生リスト、再生アイテム、静止画像グループ、ファイルまたはディレクトリ、または静止画像に連係されたダビングオーディオデータを探して静止画像を表示するとともにオーディオデータもデコーディングして出力する。図８のように記録された場合には、ダビングオーディオデータの再生出力途中、同期情報を確認して、該当する静止画像データを探してデコーディング出力する。
【００３４】
以上、前述した本発明の望ましい実施形態は、例示の目的のために開示されたものであって、当業者ならば添付された特許請求範囲に開示された本発明の技術的思想とその技術的範囲内で、多様な他の実施形態を改良、変更、代替または付加などが可能である。
【図面の簡単な説明】
【００３５】
【図１】デジタルスチールカメラが採択しているファイルシステムを例示的に示したものである。
【図２】本発明による再記録可能な記録媒体のダビングオーディオデータ記録方法が適用される光ディスク装置に対する構成を示したものである。
【図３】本発明の実施形態によるダビングオーディオデータ記録過程を示したものである。
【図４】本発明の実施形態によるダビングオーディオデータ記録過程を示したものである。
【図５】本発明の実施形態によるダビングオーディオデータ記録過程を示したものである。
【図６】本発明の実施形態によるダビングオーディオデータ記録過程を示したものである。
【図７】本発明の実施形態によるダビングオーディオデータ記録過程を示したものである。
【図８】本発明の実施形態によるダビングオーディオデータ記録過程を示したものである。
【符号の説明】
【００３６】
１０，１１，３０，３１…スイッチング部、１２…静止画像ビデオエンコーダ部、１３…静止画像オーディオエンコーダ部、１４…動画像ビデオエンコーダ部、１５…動画像オーディオエンコーダ部、１６…多重化装置(ＭＵＸ)、１７…フォーマット構成部、１８…ＤＶＲエンコーダ信号処理部、１９…制御部、３２…静止画像ビデオデコーダ部、３３…静止画像オーディオデコーダ部、３４…動画像ビデオデコーダ部、３５…動画像オーディオデコーダ部、３６…多重分離装置(Ｄｅ−ＭＵＸ)、３７…パーザ(Ｐａｒｓｅｒ)、３８…ＤＶＲデコーダ信号処理部。
【図１】
0004543066.tif 000002
【図２】
0004543066.tif 000003
【図３】
0004543066.tif 000004
【図４】
0004543066.tif 000005
【図５】
0004543066.tif 000006
【図６】
0004543066.tif 000007
【図７】
0004543066.tif 000008
【図８】
0004543066.tif 000009